(57)【特許請求の範囲】
【請求項１】
第１のタイプの測位情報を提供する通信ネットワークにおけるワイヤレスデバイスによって行われる方法であって、
前記ネットワークからの第２のタイプの測位情報をリクエストすること（２０１、３０１、４０１）と、
前記リクエストに応答して前記ネットワークから情報を取得すること（２０２、３０２、４０２）であって、前記情報は所定の期間有効であり、これによって前記ワイヤレスデバイスは、前記所定の期間中のみ前記第２のタイプの測位情報を取得すること（３０３、４０３）が可能になる、取得すること（２０２、３０２、４０２）と、
取得された前記第２のタイプの測位情報に基づいて、測位を行うことまたは測位を行うことを支援すること（２０３、３０３、３０４、３０５、４０４、４０５）とを含み、
前記第２のタイプの測位情報によって、前記第１のタイプの測位情報によって可能とされる測位よりも高い精度での測位が可能になる、方法。
【請求項２】
前記リクエストに応答して取得された前記情報は、
前記所定の期間の期限満了後に無効になるパラメータ、
どの通信リソースにおいて、前記第２のタイプの測位情報が前記所定の期間中に取得可能であるかの指示、
前記所定の期間中、前記第２のタイプの測位情報を復号することを可能にする情報、
前記第２のタイプの測位情報
のうちの１つまたは複数を含む、請求項１に記載の方法。
【請求項３】
前記第２のタイプの測位情報は、
ビームといった、ネットワークノード、セル、またはサブセルに関連付けられた識別子、
前記第１のタイプの測位情報によってサポートされるタイミング推定精度より精密な第２のタイミング推定精度をサポートする１つまたは複数のシーケンス、
前記第１のタイプの測位情報によってサポートされるフィックス時間より短い第２のフィックス時間をサポートする情報周期性、
精密なラウンドトリップタイム推定を可能にする１つまたは複数のシーケンス
のうちの１つまたは複数を含む、請求項１又は２に記載の方法。
【請求項４】
前記測位を行うことまたは前記測位を行うことを支援することは、前記第１のタイプの測位情報にさらに基づく、請求項１から３のいずれか一項に記載の方法。
【請求項５】
前記第１のタイプの測位情報は、
１つまたは複数のノードに関連付けられた識別子、
前記第２のタイプの測位情報によってサポートされるタイミング推定精度より精密でない第１のタイミング推定精度をサポートする１つまたは複数のシーケンス、
前記第２のタイプの測位情報によってサポートされるフィックス時間より長い第１のフィックス時間をサポートする情報周期性
のうちの１つまたは複数を含む、請求項１から４のいずれか一項に記載の方法。
【請求項６】
第１のタイプの測位情報を提供する通信ネットワークにおけるネットワークノードによって行われる方法であって、
ワイヤレスデバイスから第２のタイプの測位情報についてのリクエストを取得すること（５０１、６０１、８０１、９０１）と、
前記リクエストに応答して前記ワイヤレスデバイスに情報を提供すること（５０２、６０２、９０３）であって、前記情報は所定の期間有効であり、これによって前記所定の期間中のみ前記第２のタイプの測位情報を取得することが可能になる、提供すること（５０２、６０２、９０３）と、
前記第２のタイプの測位情報を提供すること（５０３、６０３、７０３、８０５、９０３）とを含み、
前記第２のタイプの測位情報によって、前記第１のタイプの測位情報によって可能とされる測位よりも高い精度での測位が可能になる、方法。
【請求項７】
前記リクエストに応答して提供された前記情報は、
前記所定の期間の期限満了後に無効になるパラメータ、
どの通信リソースにおいて、前記第２のタイプの測位情報が前記所定の期間中に取得可能であるかの指示、
前記所定の期間中、前記第２のタイプの測位情報を復号することを可能にする情報、
前記第２のタイプの測位情報
のうちの１つまたは複数を含む、請求項６に記載の方法。
【請求項８】
前記第２のタイプの測位情報は、
ビームといった、ネットワークノード、セル、またはサブセルに関連付けられた識別子、
前記第１のタイプの測位情報によってサポートされるタイミング推定精度より精密な第２のタイミング推定精度をサポートする１つまたは複数のシーケンス、
前記第１のタイプの測位情報によってサポートされるフィックス時間より短い第２のフィックス時間をサポートする情報周期性、
精密なラウンドトリップタイム推定を可能にする１つまたは複数のシーケンス
のうちの１つまたは複数を含む、請求項６又は７に記載の方法。
【請求項９】
前記測位を行うことまたは前記測位を行うことを支援することは、前記第１のタイプの測位情報にさらに基づく、請求項６から８のいずれか一項に記載の方法。
【請求項１０】
前記第１のタイプの測位情報は、
１つまたは複数のノードに関連付けられた識別子、
前記第２のタイプの測位情報によってサポートされるタイミング推定精度より精密でない第１のタイミング推定精度をサポートする１つまたは複数のシーケンス、
前記第２のタイプの測位情報によってサポートされるフィックス時間より長い第１のフィックス時間をサポートする情報周期性
のうちの１つまたは複数を含む、請求項６から９のいずれか一項に記載の方法。
【請求項１１】
第１のタイプの測位情報を提供する通信ネットワークにおいて動作可能であるワイヤレスデバイス（１００４、１１０２、１２００）であって、
前記ネットワークからの第２のタイプの測位情報をリクエストし、
前記リクエストに応答して前記ネットワークから情報を取得することであって、所定の期間有効でありかつこれによって前記ワイヤレスデバイスは前記所定の期間中のみ前記第２のタイプの測位情報を取得することが可能になる情報を取得し、
取得された前記第２のタイプの測位情報に基づいて、測位を行うまたは測位を行うことを支援するように設定され、
前記第２のタイプの測位情報によって、前記第１のタイプの測位情報によって可能とされる測位よりも高い精度での測位が可能になる、ワイヤレスデバイス。
【請求項１２】
前記リクエストに応答して取得された前記情報は、
前記所定の期間の期限満了後に無効になるパラメータ、
どの通信リソースにおいて、前記第２のタイプの測位情報が前記所定の期間中に取得可能であるかの指示、
前記所定の期間中、前記第２のタイプの測位情報を復号することを可能にする情報、
前記第２のタイプの測位情報
のうちの１つまたは複数を含む、請求項１１に記載のワイヤレスデバイス。
【請求項１３】
前記第２のタイプの測位情報は、
ビームといった、ネットワークノード、セル、またはサブセルに関連付けられた識別子、
前記第１のタイプの測位情報によってサポートされるタイミング推定精度より精密な第２のタイミング推定精度をサポートする１つまたは複数のシーケンス、
前記第１のタイプの測位情報によってサポートされるフィックス時間より短い第２のフィックス時間をサポートする情報周期性、
精密なラウンドトリップタイム推定を可能にする１つまたは複数のシーケンス
のうちの１つまたは複数を含む、請求項１１又は１２に記載のワイヤレスデバイス。
【請求項１４】
前記測位を行うことまたは前記測位を行うことを支援することが、前記第１のタイプの測位情報にさらに基づくように設定される、請求項１１から１３のいずれか一項に記載のワイヤレスデバイス。
【請求項１５】
前記第１のタイプの測位情報は、
１つまたは複数のノードに関連付けられた識別子、
前記第２のタイプの測位情報によってサポートされるタイミング推定精度より精密でない第１のタイミング推定精度をサポートする１つまたは複数のシーケンス、
前記第２のタイプの測位情報によってサポートされるフィックス時間より長い第１のフィックス時間をサポートする情報周期性
のうちの１つまたは複数を含む、請求項１１から１４のいずれか一項に記載のワイヤレスデバイス。
【請求項１６】
第１のタイプの測位情報を提供する通信ネットワークにおいて動作可能であるネットワークノード（１００１、１１０１、１１０３ｉ、１３００）であって、
ワイヤレスデバイスから第２のタイプの測位情報についてのリクエストを取得し、
前記リクエストに応答して前記ワイヤレスデバイスに情報を提供することであって、所定の期間有効でありかつこれによって前記所定の期間中のみ前記第２のタイプの測位を取得することが可能になる情報を提供し、
前記第２のタイプの測位情報を提供するように設定され、
前記第２のタイプの測位情報によって、前記第１のタイプの測位情報によって可能とされる測位よりも高い精度での測位が可能になる、ネットワークノード。
【請求項１７】
前記リクエストに応答して提供された前記情報は、
前記所定の期間の期限満了後に無効になるパラメータ、
どの通信リソースにおいて、前記第２のタイプの測位情報が前記所定の期間中に取得可能であるかの指示、
前記所定の期間中、前記第２のタイプの測位情報を復号することを可能にする情報、
前記第２のタイプの測位情報
のうちの１つまたは複数を含む、請求項１６に記載のネットワークノード。
【請求項１８】
前記第２のタイプの測位情報は、
ビームといった、ネットワークノード、セル、またはサブセルに関連付けられた識別子、
前記第１のタイプの測位情報によってサポートされるタイミング推定精度より精密な第２のタイミング推定精度をサポートする１つまたは複数のシーケンス、
前記第１のタイプの測位情報によってサポートされるフィックス時間より短い第２のフィックス時間をサポートする情報周期性、
精密なラウンドトリップタイム推定を可能にする１つまたは複数のシーケンス
のうちの１つまたは複数を含む、請求項１６又は１７に記載のネットワークノード。
【請求項１９】
前記測位を行うことまたは前記測位を行うことを支援することは、前記第１のタイプの測位情報にさらに基づく、請求項１６から１８のいずれか一項に記載のネットワークノード。
【請求項２０】
前記第１のタイプの測位情報は、
１つまたは複数のノードに関連付けられた識別子、
前記第２のタイプの測位情報によってサポートされるタイミング推定精度より精密でない第１のタイミング推定精度をサポートする１つまたは複数のシーケンス、
前記第２のタイプの測位情報によってサポートされるフィックス時間より長い第１のフィックス時間をサポートする情報周期性
のうちの１つまたは複数を含む、請求項１６から１９のいずれか一項に記載のネットワークノード。
【発明の詳細な説明】
【技術分野】
【０００１】
本発明は、ワイヤレス通信ネットワークにおける測位に関する。
【背景技術】
【０００２】
ＧＳＭ、ＷＣＤＭＡ、ＬＴＥ、およびＷｉＦｉなどの現状技術のネットワークにおいて、明確に異なる信号は、それぞれのネットワークセルから送信される。ＬＴＥにおいて、例えば、それぞれのセルは、例えば、復調信号および同期信号に使用されるシーケンスを導出するために使用される、ローカルに固有の信号であるＰＣＩ（物理セル識別子）に関連付けられる。さらに、例えば、ＬＴＥにおける測位参照信号（ＰＲＳ）は、ＰＣＩから導出される。任意の位置において、ＰＣＩおよび／またはＰＲＳなどの、全てのローカルに固有の信号の和は、典型的には、その特定の場所に固有であるフィンガープリントを作成する。
【０００３】
かかる現状技術のシステムにおいて、いわゆる「オーバーザトップ」（ＯＴＴ）および／またはサードパーティのアクターは、ネットワークフィンガープリンティングに基づいて、場所ベースの広告などの測位サービスを提供するためにこの性質を利用することができる。例えば、ある特定のワイヤレスデバイスにおいて利用可能な全地球測位（ＧＰＳ）情報を、同じワイヤレスデバイスのネットワークフィンガープリントと比較することによって、ネットワークフィンガープリントは地理的位置にマッピング可能であり、かつ、ＧＰＳ機能性を有さない、またはＧＰＳをオフにしているが、依然ネットワークフィンガープリント情報にアクセスしている他のワイヤレスデバイスの測位に使用可能である。図１は、アクセスノード１０１〜１０３、およびワイヤレスデバイス１０４を含むワイヤレス通信システムを示す。アクセスノードは全て、対応する識別子、この例では、１７、５６、および９と関連付けられた測位参照信号を送信する。ワイヤレスデバイス１０４は、信号を取得する、例えば、信号に対する計測を行い、計測の結果の組み合わせはネットワークフィンガープリント１０５を形成する。このフィンガープリント１０５は、ＯＴＴ測位サービスプロバイダ１０６によって取得可能であり、これによって、次いで、ネットワークフィンガープリントのデータベースがビルド可能であり、それらを使用して、ワイヤレスデバイスの測位を行い、かつ、この測位情報を、これを所望する人に販売することができる。
【０００４】
すなわち、これは、例えば、多数のＯＴＴアクターが個々の無線デバイスの移動を追跡可能であり、また、この情報を他のパーティに販売可能であり、このどちらもが、追跡されたワイヤレスデバイスのユーザの利益にはならない恐れがある。さらには、ネットワークフィンガープリンティングを可能にする信号をもたらすことはオペレータの利益にはならない恐れがあり、この場合、サードパーティのアクターは、ネットワークフィンガープリントをマッピングし、かつ、典型的には、測位を可能にするネットワークにおいて多額の投資を行うオペレータを補償することなく、それらのサブスクライバと関係している測位情報を販売することからもうけている。換言すれば、ネットワークビルダは、ネットワークの開発、メンテナンス、および／または融資に寄与しない他のものに対して測位値を提供するネットワークにおける投資に関心がない場合がある。
【０００５】
しかしながら、システムにおけるユーザは、依然、ネットワークにおいて提供される信号に基づく高精度の測位を可能にすることを望んでいる場合がある。例えば、一部のユーザは、例えば、ＧＰＳ信号が利用できない屋内またはその他の場所での高精度の測位に対するアクセスを望んでいる場合がある。
【発明の概要】
【０００６】
ワイヤレス通信ネットワークにおける測位サービスをさらに開発することが所望される。本明細書に提供されるソリューションは、通信ネットワークにおいて差別化された測位の実現性を可能にする。高精度の測位を必要としないユーザまたはデバイスが、基本的な測位情報にアクセスする一方で、高精度の測位を必要とするユーザまたはデバイスは、ある特定の手順後にかかる情報を取得することができる。該ソリューションは、現状技術のソリューションと比較して、帯域幅および／または電力を節約しつつ高精度の測位の提供を可能にする。さらに、該ソリューションによって、例えば、サードパーティのアクターが、ネットワークにおいて動作するデバイスの高精度の位置に継続的にアクセスするのを防止することによって、ユーザの保全性の保護が可能になる。該ソリューションによってさらに、サードパーティのアクターが、ワイヤレス通信システムのオペレータによる投資に基づく測位に対して自由に収益化するのを防止することができる。
【０００７】
第１の態様によると、通信ネットワークにおけるワイヤレスデバイスによって行われる方法が提供される。この場合、ネットワークは、第１のタイプの測位情報を提供すると想定されてよい。方法は、ネットワークから第２のタイプの測位情報をリクエストすることと、リクエストに応答してネットワークから情報を取得することであって、この情報は所定の期間有効であり、これによって、ワイヤレスデバイスは、所定の期間中のみ第２のタイプの測位情報を取得することが可能になる、取得することとを含む。方法は、取得された第２のタイプの測位情報に基づいて、測位を行うことまたは測位を行うことを支援することをさらに含む。第２のタイプの測位情報によって、第１のタイプの測位情報によって可能とされる測位よりも高い精度での測位が可能になる。
【０００８】
第２の態様によると、通信ネットワークにおけるネットワーク、例えば、ネットワークノードによって行われ、第１のタイプの測位情報が提供される方法が提供される。方法は、ワイヤレスデバイスから第２のタイプの測位情報についてのリクエストを取得することと、さらに、リクエストに応答してワイヤレスデバイスに情報を提供することであって、この情報は所定の期間有効であり、これによって、所定の期間中のみ第２のタイプの測位情報を取得することが可能になる、提供することとを含む。方法は、第２のタイプの測位情報を提供することをさらに含む。
【０００９】
第３の態様によると、第１のタイプの測位情報を提供する通信ネットワークにおいて動作可能であるワイヤレスデバイスが提供される。ワイヤレスデバイスは、ネットワークから第２のタイプの測位情報をリクエストすることと、リクエストに応答してネットワークから情報を取得することであって、所定の期間有効であり、かつこれによってワイヤレスデバイスは、所定の期間中のみ第２のタイプの測位情報を取得することが可能になる情報を取得することとを行うように設定される。ワイヤレスデバイスは、取得された第２のタイプの測位情報に基づいて、測位を行うまたは測位を行うことを支援するようにさらに設定される。
【００１０】
第４の態様によると、第１のタイプの測位情報を提供する通信ネットワークにおいて動作可能であるネットワークノードが提供される。ネットワークノードは、ワイヤレスデバイスから第２のタイプの測位情報についてのリクエストを取得することと、リクエストに応答してワイヤレスデバイスに情報を提供することであって、所定の期間有効であり、かつこれによって所定の期間中のみ第２のタイプの測位を取得することが可能になる情報を提供することとを行うように設定される。ネットワークノードは、第２のタイプの測位情報を提供するようにさらに設定される。
【００１１】
第５の態様によると、少なくとも１つのプロセッサ上で実行される時、少なくとも１つのプロセッサに、第１の態様または第２の態様による方法を実施させる命令を含むコンピュータプログラムが提供される。
【００１２】
第６の態様によると、第５の態様によるコンピュータプログラムを包含するキャリアが提供される。ここで、キャリアは、電子信号、光信号、無線信号、またはコンピュータ可読記憶媒体のうちの１つである。
【００１３】
本明細書に開示される技術の、前述のならびに他の目的、特徴、および利点は、添付の図面に示されるような実施形態の以下のより詳細な説明から明らかとなるであろう。図面は必ずしも一定尺度ではなく、それよりむしろ、本明細書に開示される技術の原理を示すことに重点が置かれる。
【図面の簡単な説明】
【００１４】
【図１】先行技術による、ＯＴＴ測位サービスプロバイダによって利用されるネットワークフィンガープリンティングの概略図である。
【図２】種々の実施形態による、ワイヤレスデバイスによって行われる例示の方法を示すフローチャートである。
【図３】種々の実施形態による、ワイヤレスデバイスによって行われる例示の方法を示すフローチャートである。
【図４】種々の実施形態による、ワイヤレスデバイスによって行われる例示の方法を示すフローチャートである。
【図５】種々の実施形態による、ネットワークノードによって行われる例示の方法を示すフローチャートである。
【図６】種々の実施形態による、ネットワークノードによって行われる例示の方法を示すフローチャートである。
【図７】種々の実施形態による、ネットワークノードによって行われる例示の方法を示すフローチャートである。
【図８】種々の実施形態による、ネットワークノードによって行われる例示の方法を示すフローチャートである。
【図９】種々の実施形態による、ネットワークノードによって行われる例示の方法を示すフローチャートである。
【図１０】例示の実施形態によるワイヤレス通信ネットワークにおけるシグナリングの概略図である。
【図１１】例示の実施形態による、ワイヤレス通信ネットワークにおけるワイヤレスデバイスおよびネットワークノードの間のシグナリング、およびこれらによって行われるアクションを示すシグナリング図である。
【図１２ａ】例示の実施形態による、ワイヤレスデバイスの種々の実装形態を示す概略ブロック図である。
【図１２ｂ】例示の実施形態による、ワイヤレスデバイスの種々の実装形態を示す概略ブロック図である。
【図１２ｃ】例示の実施形態による、ワイヤレスデバイスの種々の実装形態を示す概略ブロック図である。
【図１３ａ】例示の実施形態による、ネットワークノードの種々の実装形態を示す概略ブロック図である。
【図１３ｂ】例示の実施形態による、ネットワークノードの種々の実装形態を示す概略ブロック図である。
【図１３ｃ】例示の実施形態による、ネットワークノードの種々の実装形態を示す概略ブロック図である。
【図１４】分散式または非分散式での実施形態が適用可能である、ワイヤレス通信ネットワークの異なる実装形態を示す概略ブロック図である。
【図１５】分散式または非分散式での実施形態が適用可能である、ワイヤレス通信ネットワークの異なる実装形態を示す概略ブロック図である。
【発明を実施するための形態】
【００１５】
次世代のワイドエリアネットワークについてのベースラインを設計する作業が進行中である。ネットワークにおけるエネルギー消費を低減するために、および、高利得ビーム形成または他のマルチアンテナ技法を十分に利用可能とするために、制御／ブロードキャストレイヤがデータプレーンから分離される概念が規定されている。
【００１６】
ここで、システム制御プレーン（ＳＣＰ）と示される制御レイヤは、ランダムアクセスおよびページングに関連している機能を担う。将来的なワイヤレス通信システムにおけるネットワークエネルギー消費を低減するために、セルラーシステムにおける現在の参照信号のブロードキャストと比較して、ブロードキャスト信号はまれに起こると考えられる。さらに、将来的なワイヤレス通信システムにおける参照信号は、現在のシステムにおけるようにノード特有であると考えられていない。かかるシステムでは、アイドルモードのワイヤレスデバイスは、ネットワークにおいて移動する時、個々のノードを特定する、または「見る」ことはできないと思われる。アイドルモードのワイヤレスデバイスは、ネットワークが存在することを検出することだけが可能と思われる。
【００１７】
かかる将来的なシステムにおける高い測位精度によるネットワークベースの測位を提供することは、送信される信号の、広い帯域幅および／または高い周期性を必要とするため、費用がかかることになる。従って、オペレータが高精度の測位サービスに対する収入を確保できない限り、かかるサービスが、将来的な通信ネットワークにおいて開発されるまたは配備される見込みはない。
【００１８】
本発明者によって実現されるように、上述される問題の多くに対するソリューションは、差別化された測位サービスを可能にしかつ提供することとすることができ、その差別化された測位サービスまたは差別化された測位精度は、例えば、
・短い時間分または長い時間分有効である測位キーを提供すること、
・ワイヤレスデバイスが、ネットワークから送信された利用可能なＰＲＳ信号の選択されたサブセットのみを復号できるようにする情報を提供すること、
・ＰＲＳの選択された部分を、例えば、時間および／または帯域幅で、ワイヤレスデバイスに対して復号可能にすること、
・より高い精度についてのリクエストに応答して追加のＰＲＳ参照信号を提供すること、
によってなど、多くの種々のやり方で可能にされてよい。
【００１９】
例えば、高精度の測位にするために必要とされる測位情報が、デフォルトリソースによって利用可能とできるのは、一部のみである、または全くない。高精度の測位を可能にするより詳細な測位情報は、例えば、接続が確立され、かつユーザ認証が確認された後しか、ワイヤレスデバイスに対して利用可能とすることができない。
【００２０】
さらに、高精度の測位を可能にする詳細な情報は、限定された時間のみ有効とすることができる。ネットワークは、例えば、ワイヤレスデバイスから（より）高い測位精度についてのリクエストへの応答として追加の測位信号を送信し始めることができる。例えば、屋外のノードからのいくつかのＰＲＳリソースは、一般的に利用可能であってよいが、例えば、屋内のノードからの追加のＰＲＳリソースは、専用のシグナリングを介して利用可能とされる。さらに、詳細な測位情報は、使用されるＰＲＳシーケンスの一部、使用されるＤＬおよび／もしくはＵＬ時間／周波数リソースの一部、広帯域もしくは狭帯域ビームＰＲＳなどに関連している情報を明らかにすることができる。
【００２１】
「アクセスモビリティ」が「アクティブモビリティ」と別個であると考えられている、「５Ｇ」システムと称される時もある将来的な通信システムにおいて、ワイヤレスデバイスは、それぞれのセルがローカルに固有の信号のセットを送信する現在の通信システムにおけるような個々のノードをとらえない恐れがある。本発明者によって実現されるように、測位サービスが、アクセスモビリティがいわゆる「ウルトラリーン」システム制御プレーンによってハンドリングされるシステムにおいて追加される時、個々のネットワークノードの位置および／または存在に関連している情報が特定のワイヤレスデバイスに対して利用可能とされるべきか否かが制御可能である、例えば、設定可能としてよい。
【００２２】
測位参照信号（ＰＲＳ）は、典型的には、時間および周波数でリソースエレメントのセットにマッピングされる疑似ランダムシーケンスの機能である信号である。
【００２３】
本明細書に説明されるソリューションの例示の実施形態によると、高精度の測位に関連付けられたシーケンス／リソース／デスクランブルは、現状技術のシステムにおけるような、時間（ｔ）、周波数（ｆ）、ノードＩＤ（ｉｄ１）、システムＩＤ（ｉｄ２）、ＰＲＳ  ＩＤ（ｉｄＰＲＳ）などの関数であるが、さらに、これらはまた、ネットワークによって規則的に改変され、かつ専用のシグナリングを介して抽出されなければならないパラメータα（ｔ）に左右されるように設定される。かかる測位参照信号を記述する式は、例えば下記のようなものであってよい。
ＰＲＳｎ＝ｆ（ｉｄｎ、…、α（ｔ））
【００２４】
以下に、図２〜図４を参照して、例示の方法の実施形態について説明する。最初に、ワイヤレスデバイスに関連している例示の方法について、次いで、ネットワークのアクションに関連している対応する例示の方法について、説明する。ワイヤレス通信ネットワークにおける、ワイヤレスデバイスおよびネットワークノードの実装形態、または配置構成について、さらに後述される。
【００２５】
図２〜図４のワイヤレスデバイスにおける例示の方法の実施形態
図２は、本明細書に説明されるソリューションの一般化された実施形態を示す。方法は、ワイヤレス通信ネットワークにおいて動作可能である、代替的には、例えば通信デバイスと称される可能性があるワイヤレスデバイスによって行われることになる。ワイヤレスデバイスは、スマートフォン、タブレット、または、ワイヤレス通信ネットワークによってデフォルトで提供される、基本的な、例えば、低精度の測位サービスよりも高い精度の測位を必要とする場合があるワイヤレス通信を可能とする任意の他のデバイスなどの、例えば、ユーザ機器（ＵＥ）であってよく、またはこれらを含んでよい。
【００２６】
ワイヤレス通信ネットワークは、第１の測位精度に関連付けられる第１のタイプの測位情報を提供すると想定されてよい。この第１のタイプの測位情報は、代替的には、例えば、基本の、共通の、または、公共の測位情報として示される場合がある。図２に示される方法は、ネットワークからの、例えば、ネットワークノードからの、第２の測位精度に関連付けられる第２のタイプの測位情報をリクエストすること２０１を含む。第２のタイプの測位情報は、代替的には、例えば、付加的な、追加の、またはリクエストに応じた測位情報として示される場合がある。方法は、リクエストに応答してネットワークから情報を取得すること２０２であって、これ（この情報）が所定の期間有効であり、これによってワイヤレスデバイスは、所定の期間中のみ第２のタイプの測位情報を取得することが可能になる、取得すること２０２をさらに含む。方法は、取得された第２のタイプの測位情報に基づいて測位を行うことまたは測位を行うことを支援すること２０３をさらに含む。
【００２７】
取得された第２のタイプの測位情報は、第１のタイプの測位情報によって可能とされる測位より高い精度の測位を可能にし、それによって、差別化された測位が可能とされる。リクエストを行っておらず、ネットワークから第２のタイプの測位情報を取得しているワイヤレスデバイスは、例えば、広い領域の観点からの位置といった、第１のタイプの測位情報に基づいた基本的な測位を達成することのみ可能になる。しかしながら、リクエストを行っており、ネットワークから第２のタイプの測位情報を取得しているワイヤレスデバイスは、第１のタイプの測位情報のみを使用する時よりも高い精度の測位を達成可能となる。より高いまたは高い精度の測位の例は、数メートル内の位置の判断、または、ＧＰＳ信号に基づいて行われ得るものとのパリティでの測位とすることができる。さらに、サードパーティのアクターは、フィンガープリントが経時的に同じでない、または予測可能でないため、高精度のネットワークフィンガープリントを収集できないことになる。
【００２８】
測位を行うことは、例えば、ワイヤレスデバイスの位置が、ワイヤレスデバイス自体によって、またはネットワークによって、例えば、ネットワークノードによって、算出されるまたは導出されるかどうかに左右される種々のアクションを含むことができる。これはまた、図３および図４に示され、さらに後述される。ワイヤレスデバイスの位置がネットワークによって算出される実施形態において、ワイヤレスデバイスは、第２のタイプの測位情報、もしくはこの情報の少なくとも一部、および／または、ネットワークに戻って該情報から導出された情報を報告後、これによって該ワイヤレスデバイスの位置を導出できる。この報告は、ワイヤレスデバイスが、測位を行うようにネットワークを支援すること、または、ワイヤレスデバイスが、ワイヤレスデバイスの位置を算出するまたは導出するようにネットワークを支援することによって測位を行うこととして見なされる場合がある。ワイヤレスデバイスは、また、例えば、第２の測位情報の到達の絶対時間または相対時間など、ネットワークに対して他の関連した情報を報告することができる。ネットワークによって判断される、例えば、算出されるまたは導出されるワイヤレスデバイスの位置は、次いでネットワークから受信可能である。代替的には、この位置はワイヤレスデバイスによって判断され、このような場合、第２のタイプの測位情報は必ずしもネットワークに戻って報告される必要はない。位置がワイヤレスデバイスによって算出されるまたは導出される実施形態では、ワイヤレスデバイスは、例えば、上記のネットワークノードから受信された第２のタイプの測位情報に基づいて複数のネットワークノードまでの対応する距離を判断する、および複数のネットワークノードと関連した該ネットワークノードの位置を導出することができる。
【００２９】
リクエストに応答して取得された情報は、所定の期間の期限満了後に無効になるパラメータ（本明細書ではα（ｔ）とも例示される）を含むことができる。例えば、ネットワークは、例えば、ランダムなやり方で、規則的な間隔で、または不規則的な間隔で、パラメータを変更することができる。情報は、代替的には、または加えて、どの通信リソースにおいて、第２のタイプの測位情報が所定の期間中に取得可能であるかの指示を含むことができる。例えば、ネットワークが第２のタイプの測位情報を提供する無線リソースは、例えば、ランダムなやり方で、規則的な間隔で、または不規則的な間隔で変更されてよい。情報は、代替的には、または加えて、所定の期間中、第２のタイプの測位情報を復号することを可能にする情報を含んでよい。例えば、第２のタイプの測位情報を符号化するための、ネットワークによって使用されるコードは、例えば、ランダムなやり方で、規則的な間隔で、または不規則的な間隔で、ネットワークによって変更可能である。情報は、代替的には、または加えて、第２のタイプの測位情報自体を含んでよい。例えば、ネットワークは、リクエストへの応答のように、第２のタイプの測位情報を、該情報をリクエストしたデバイスに送り始めることができる。ネットワークは、次いで、所定の期間中に第２のタイプの測位情報を送り、その後、例えば、新しいリクエストを受信していない場合、停止することが可能である。第２のタイプの測位情報は、また、この場合、上述されるように時限式に割り当てまたは符号化可能であることで、ワイヤレスデバイスはこの情報を取得することができるキーが必要になる。リクエストに応答して取得された情報は、例えば、測位参照信号情報と示される場合がある。
【００３０】
ワイヤレスデバイスが、第２のタイプの測位情報を取得することを可能とされる所定の期間は、ネットワークによって設定可能とされてよい。例えば、該期間は、２４時間、１２時間、１時間、１分、または５秒より短くなるように設定可能である。これらの数は、単に非限定的な例であることが意図されるが、本発明者によって考えられる時間周期がどのようなものであるかについてさらに暗示する。
【００３１】
所定の期間中にワイヤレスデバイスによって取得可能である第２のタイプの測位情報は、種々のタイプの情報を含むことができる。例えば、第２のタイプの測位情報は、ビームといった、ネットワークノード、セル、またはサブセルに関連付けられた識別子を含むことができる。この識別子は、例えば、所定の期間後の間隔でネットワークによって改変可能である、または、リクエストに応答して取得された情報に基づいてのみ復号可能もしくは導出可能であってよい。代替的には、または加えて、第２のタイプの測位情報は、第１のタイプの測位情報によってサポートされるタイミング推定精度より精密な第２のタイミング推定精度をサポートする１つまたは複数のシーケンスを含むことができる。それによって、ワイヤレスデバイスは、例えば、１つまたは複数のネットワークノードまでの距離を、より正確に判断する、または判断する支援を行うことが可能になる。
【００３２】
第２のタイプの測位情報は、代替的には、または加えて、第１のタイプの測位情報によってサポートされるフィックス時間より短い第２のフィックス時間をサポートする情報周期性を含むことができる。「フィックス時間」は、測位を行う必要が生じる時から位置推定が準備できる時までにかかる時間に言及する。例えば、フィックス時間要件は、ほぼ３０ｓとすることができるが、船舶制御の応用といった、一部の応用では、フィックス時間要件は、より厳密である可能性があり、すなわち、例えば、１ｓより大幅に短いといった、はるかに短いフィックス時間が必要される場合がある。例えば、ワイヤレスデバイスは測位情報を取得するまでより長く待つ必要がある場合があるため、情報周期性が低次であるほど、フィックス時間は長くなる。代替的には、または加えて、第２のタイプの測位情報は、ワイヤレスデバイスまたはネットワークが、例えば、ワイヤレスデバイスと１つまたは複数のネットワークノードとの間の距離を例えばより正確に判断可能とすることができる、精密なラウンドトリップタイム推定を可能にする１つまたは複数のシーケンスを含むことができる。第２のタイプの情報が、ＧＰＳ衛星から受信されるのではなく、典型的には、地球ベースのワイヤレス通信ネットワークから受信されることは、留意されるべきである。
【００３３】
測位を行うことまたは測位を行うことを支援することは、さらに、第１のタイプの測位情報に基づく、すなわち、第１のタイプの測位情報および第２のタイプの測位情報両方に基づくことができる。例えば、第１のタイプの測位情報は、第２のタイプの測位情報の補足であってよい（またはこの逆も同様である）。ある特定の測位シーケンスがネットワークによって送信されると想定すると、送信されたシーケンスの１つの部分は、ネットワークからの付加的な情報にアクセスすることなく、ワイヤレスデバイスによって取得可能である第１のタイプの測位情報とすることができるが、シーケンスの別の部分は、ネットワークからのリクエストされた時限の付加的な情報を受信した時にワイヤレスデバイスによってのみ取得可能である第２のタイプの測位情報とすることができ、この場合、シーケンス全体に基づいて、高精度の測位が行われる。代替的には、第２のタイプの測位情報は、第１のタイプの測位情報と無関係に測位を行うために使用されてよい。
【００３４】
第１のタイプの測位情報は、第２のタイプの測位情報に関連付けられた測位精度より低い第１の測位精度に関連付けられる。第１のタイプの測位情報は、例えば、通信ネットワークの領域に関連付けられた識別子を含むことができる。かかる領域は、広い可能性があり、ネットワークに関連付けられた複数の無線アクセスノードを含むことができる。代替的には、または加えて、第１のタイプの測位情報は、通信ネットワークにおける領域または１つもしくは複数のノードに関連付けられた識別子を含むことができ、かつ、第２のタイプの測位情報の周期性と比較して、または、第１のタイプの測位情報の周期性および第２のタイプの測位情報の周期性の組み合わせと比較して、低次の周期性が設けられてよい。より高次の周期性によって、より高い精度の測位が可能になる。例えば、第１のタイプの測位情報は、第２のタイプの測位情報によってサポートされるフィックス時間より長い場合がある第１のフィックス時間をサポートする情報周期性を含むことができ、例えば該情報周期性で取得可能である。代替的には、または加えて、第１のタイプの測位情報は、第２のタイプの測位情報によってサポートされるタイミング推定精度より精密でない場合がある第１のタイミング推定精度をサポートする１つまたは複数のシーケンスを含んでよい。
【００３５】
図３は、ワイヤレスデバイスによって行われる例示の方法の実施形態を示す。方法は、測位リクエストを無線ネットワークノードに送ること３０１を含む。このリクエストは、ワイヤレスデバイスが、デフォルト測位情報、すなわち、第１のタイプの測位情報に基づいて達成可能であるものより高い精度の測位を必要とする時に送られる。上記で使用される表現と同様に、アクション３０１で送られた測位リクエストは、第２のタイプの測位情報についてのリクエストである。そして、アクション３０２において、リクエストに応答して、測位参照信号情報が受信される。この情報は、時変シーケンスから（ネットワークによって）導出される１つまたは複数の測位参照信号であってよく、またはこれを含んでよい。さらに、測位参照信号、すなわち、第２のタイプの測位情報は、リクエストに応答して受信された測位参照信号情報に基づいて、例えばこれを考慮して、検出される、ひいては取得される３０３。次いで、測位がワイヤレスデバイスによってまたはネットワークによって行われることになるかどうかに左右されて、アクション３０４またはアクション３０５のどちらかが行われる。測位がネットワークによって行われることになる場合、検出された測位参照信号に関連付けられた推定済み情報は、ネットワークに、例えば、ネットワークノードに報告される３０４。測位がワイヤレスデバイスによって行われることになる場合、受信された測位参照信号情報、および、検出された１つまたは複数の測位参照信号に基づいて、位置が判断される３０５。
【００３６】
図４は、ワイヤレスデバイスによって行われる別の例示の実施形態を示す。またこの方法は、測位リクエストを無線ネットワークノードに送ること４０１と、リクエストに応答して測位参照信号情報を受信すること４０２とを含む。この実施形態における測位参照信号情報は、上記で使用される表現と同様に、所定の期間と示される場合がある有効期限が設けられるものとして説明される。この有効期限は、所定の期間、すなわち、有効期限の期限満了後に無効となるパラメータα（ｔ）に関連付け可能である。そして、測位参照信号、すなわち、第２のタイプの測位情報は、有効期限が期限満了になっていないと仮定すると、リクエストに応答して受信された測位参照信号情報を考慮して検出される４０３。これは、有効期限が期限満了になった時にワイヤレスデバイスが測位参照信号を取得できなくなるため、論理的である。アクション４０４および４０５は、上述されるアクション３０４および３０５に対応する。
【００３７】
図５〜図９のネットワークにおける方法の実施形態
本明細書における実施形態は、さらに、通信ネットワークによって、例えば、ネットワークにおいて動作するネットワークノードによって行われる方法に関する。例えば、かかるネットワークノードは、高電力基地局、低電力基地局、ｅＮＢもしくは屋内無線ユニット（ＩＲＵ）などの無線アクセスノード、または、管理ノードもしくは制御ノードなどのコアネットワークノードとすることができる。方法は、分散式に行われる可能性があり、これはさらに後述される。それに応じて、方法は、例えば、無線アクセスノードにおいて部分的に、およびコアネットワークノードにおいて部分的に行われる可能性がある。分散させた場合として、方法がネットワークノードによって行われる、および、ネットワークノードがネットワークにおいて分散可能であり、必ずしも、例えば、アンテナに近接する１つの物理ユニットに含まれるわけではないとして説明可能である。これは、さらに以下でより詳細に論じられる。
【００３８】
図５〜図９に示される例示の方法の実施形態は、第１の測位精度に関連付けられた第１のタイプの測位情報を提供すると想定可能である、ワイヤレス通信ネットワークによって行われることになる。第１のタイプの測位情報は、ネットワークにおいて動作するワイヤレスデバイスによって連続して取得可能である。以下の実施形態は、ネットワークノードによって行われるとして説明される。
【００３９】
本明細書に提示されるソリューションによる方法の例示の実施形態は、図５に示される。図５に示される方法は、ワイヤレスデバイスから第２のタイプの測位情報についてのリクエストを取得すること５０１を含む。第２のタイプの測位情報は、第２の測位精度に関連付けられる。方法は、リクエストに応答して情報をワイヤレスデバイスに提供すること５０２であって、これ（この情報）が所定の期間有効であり、所定の期間中のみ第２のタイプの測位情報を取得できるようにする、提供すること５０２をさらに含む。図５に示される方法は、第２のタイプの測位情報を提供すること５０３をさらに含む。第２のタイプの測位情報は、第１のタイプの測位情報によって可能となる測位より高い精度でワイヤレスデバイスの測位を可能にする。
【００４０】
リソースについてのリクエストは、例えば、ワイヤレスデバイスから直接、または、方法がコアネットワークノードにおいてまたは分散式に実装される時のどちらかで取得５０１、例えば受信されてよく、リクエストは、ワイヤレスデバイスから１つまたは複数の他のネットワークノードを介して取得されてよい。
【００４１】
リクエストに応答して情報を提供すること５０２は、直接、または１つまたは複数の他のノードを介してのどちらかで、ワイヤレスデバイスに情報をシグナリングすることを含んでよい。提供すること５０２は、代替的には、または加えて、リクエストに応答した情報を提供するために通信ネットワークにおける別のエンティティを誘導するまたはトリガすることを含むことができる。
【００４２】
同様に、第２のタイプの測位情報を提供すること５０３は、直接、または１つまたは複数の他のノードを介してのどちらかで、ワイヤレスデバイスに情報をシグナリングすることを含んでよい。提供すること５０３は、代替的には、または加えて、ワイヤレスデバイスに第２のタイプの測位情報を提供するために、通信ネットワークにおける１つまたは複数の他のノードもしくはエンティティを誘導することまたはトリガすることを含むことができる。例えば、ワイヤレス通信ネットワークのタイプおよび実装形態に左右されて、第２のタイプの測位情報は、もっと専用化されたやり方で、例えば、狭ビームでまたは専用のシグナリングによって、ワイヤレスデバイスにブロードキャストまたは送信されてよい。
【００４３】
リクエストの特性、リクエストに応答して提供される情報、ならびに、第１のタイプの測位情報および第２のタイプの測位情報についてのさらなる詳細について、上記のワイヤレスデバイスによって行われる方法の説明に言及する。
【００４４】
図６は、リクエストに応答して提供される情報６０２が、時間Ｔ中に第２のタイプの測位情報を取得するやり方および／または場所についてのインジケータといった、キーである場合の、例示の実施形態を示す。時間Ｔが期限満了になった時、キーは変更される６０４、例えば、測位管理ノードといった制御ノードから受信される情報または命令に基づいて再設定される。
【００４５】
図７は、ネットワークノードによって行われる例示の実施形態を示す。方法は、時間アスペクトを含む測位参照信号設定を受信すること７０１を含む。この設定は、制御ノードまたは機能から受信可能である。時間アスペクトは、例えば、測位参照信号が、ネットワークにおける無線デバイスに対してデフォルトによって利用できないように再設定されるものとする時間間隔であってよい。次いで、ネットワークノードは、受信された設定を考慮して測位参照信号を設定し７０２、そして、測位参照信号（第２のタイプの測位情報）を１つまたは複数のワイヤレスデバイスに送信すること７０３ができる。測位参照信号は、リクエストに応じて送信されるか間隔をあけて送信されてよいが、所定の期間中の取得を可能にする情報をリクエストしかつ受信したワイヤレスデバイスによってのみ取得可能である。
【００４６】
図８は、時間アスペクトを含む測位参照信号設定が受信される８０１場合の例示の実施形態を示す。ここで、有効時刻または有効時間間隔は、受信された設定から判断される８０２。例えば、設定された測位参照信号がどれくらいの間有効とするべきか、すなわち、現在の測位参照信号情報、例えば、キーまたはパラメータα（ｔ）をリクエストしかつ取得したワイヤレスデバイスによって取得可能とするべきかについて、判断可能である。測位参照信号は、受信された設定を考慮して設定される８０３。次いで、有効期限が期限満了であるか否か判定される８０４。有効期限が期限満了でない限り、設定された測位参照信号は第２のタイプの測位情報、すなわち、高精度の測位情報として送信８０５可能である。しかしながら、有効期限が期限満了になった時、新しい有効期限が判断可能であり、新しい測位参照信号が設定され８０３、これは、測位参照信号が再設定されるとして表現可能である。代替的には、有効期限は、それぞれの再設定された測位参照信号に対して同じであってよい。
【００４７】
図９は、測位リクエストがワイヤレスデバイスから受信される９０１場合の例示の実施形態を示す。さらに、測位参照信号に関連付けられる現在の時間アスペクトが、抽出される、例えば、判断または導出される９０２。この現在の時間アスペクトは、例えば、現在の測位参照信号の現在作動している有効期限であってよい。次いで、受信されたリクエストに応答して、現在の測位参照信号を取得するためのキーなどの測位参照信号情報、および抽出された時間アスペクトは、ワイヤレスデバイスに送られる９０３。
【００４８】
いくつかの実施形態では、ワイヤレスデバイスの位置は、ワイヤレスデバイス自体で判断され、その後、ワイヤレスデバイスから受信されてよい。代替的には、いくつかの実施形態では、ワイヤレスデバイスの位置はネットワークノードによって判断され、このような場合、ネットワークは、第２のタイプの測位情報に基づいてワイヤレスデバイスからフィードバックを受信し、かつ、このフィードバックに基づいてワイヤレスデバイスの位置を判断する。ネットワークによって判断される、例えば、算出または導出されるワイヤレスデバイスの位置は、その後、ワイヤレスデバイスにおよび／または他のノードに提供可能である、および／または、例えば、ワイヤレスデバイスに関連している決定を行うために、ネットワークによって利用可能である。
【００４９】
以下に、本明細書に提供されるソリューションの実施形態のいくつかのさらなる可能な特徴、詳細、および例について説明する。
【００５０】
ネットワークによって規則的にまたは不規則的に改変され、かつ、専用のシグナリングを介して抽出されなければならないパラメータα（ｔ）の使用は、図１０に例示される。この例では、種々のノード１００１〜１００３は、種々の測位参照信号（ＰＲＳｉ）を送信する。信号は、信号を生成するために使用される時変シーケンスα（ｔ）を知らない限り、ワイヤレスデバイス１００４にとって完全に有用ではない。時変および時限パラメータα（ｔ）は「測位キー」と称される場合があるが、これは、ワイヤレスデバイス１００４が、ネットワークによって提供される高精度の測位性能をロック解除可能となるからである。
【００５１】
より詳細な例示の実施形態が図１１に提供される。この例では、「測位管理エンティティ」（ＰＭＥ）と示されるネットワークエンティティ１１０１は、例えばパラメータα（ｔ）に基づく時変および時限ＰＲＳ設定によってネットワークノード１１０３１〜１１０３Ｘを設定する。ネットワークノードｎは次いで、ＰＲＳ設定、ひいてはα（ｔ）の機能である信号ＰＲＳｎを送信する。この例におけるワイヤレスデバイス１１０２は、現在のＰＲＳ設定についての情報を有さないため、ＰＲＳ信号を使用して高精度の測位を行うことはできない。任意選択として、例えば、パラメータα（ｔ）に左右されないＰＲＳ情報の一部を使用して、低精度の測位を行うことができる。
【００５２】
ワイヤレスデバイスは、（ＰＲＳ信号を使用した）高精度の測位が必要であると判断する場合、ネットワークにリクエストを送る。これは、例えば、その後、測位管理エンティティノードに該リクエストを転送することができる現在のサービングノードを介して行われ得る。リクエストに応答して、高精度の測位を行うのに必要とされる情報は、ワイヤレスデバイス１１０２によって受信可能である。
【００５３】
ある時間周期後、高精度の測位を行うのに必要とされる、受信された情報は、期限満了となり、ＰＭＥは新しいＰＲＳ設定によってネットワークノードを設定する。ワイヤレスデバイスがこの新しい設定に関連している情報を包含する更新データを受信していない限り、現時点ではもはや高精度の測位を行うことができない。
【００５４】
これらの例示の実施形態は、非限定的な例に過ぎないことは留意されるべきである。代替的なソリューションは、例えば、図１１におけるネットワークノード１１０３１〜１１０３Ｘが、例えば、ＯＳＳ（動作およびサポートシステム）またはＳＯＮ（自己最適化ネットワーク）ノードによって、初期設定後自律的に、ＰＲＳ期限満了タイマおよび再設定をハンドリングすることとすることができる。
【００５５】
既存の標準の変更の例
本明細書に説明されるソリューションは、既存のワイヤレス通信システムおよび将来的なワイヤレス通信システム両方において適用可能である。以下に、３ＧＰＰ  ＬＴＥ標準などの現在の標準が、該ソリューションを実装するためにどのように変更可能であるかについてのいくつかの例を示す。全ての可能性を列挙することは困難となるため、数個の例のみを列挙する。
【００５６】
シーケンス生成を変更する
ＬＴＥに対して規定されるＰＲＳは、３ＧＰＰ  ＴＳ  ３６．２１１  Ｒｅｌ−９仕様において明記される。シーケンス生成は、次のように、セクション６．１０．４．１において明記される。
６．１０．４．１  シーケンス生成
参照信号シーケンス
0006623282.tif 000002
は以下によって規定される。
0006623282.tif 000003
式中、ｎＳは無線フレーム内のスロット番号であり、ｌはスロット内のＯＦＤＭシンボル番号である。疑似ランダムシーケンスｃ（ｉ）はセクション７．２において規定される。疑似ランダムシーケンスジェネレータは、それぞれのＯＦＤＭシンボルの開始時に
0006623282.tif 000004
で初期化されるものであり、式中
0006623282.tif 000005
である。
【００５７】
この標準において本明細書に提供されるソリューションを実装するための１つの例示のやり方は、次のように、疑似ランダムシーケンスジェネレータを初期化するために使用されるパラメータＣｉｎｉｔの規定を変更することになる。
0006623282.tif 000006
式中、α（ｔ）は、例えば、設定可能な時間周期、すなわち、所定の時間周期または有効期限の間のみ、ワイヤレスデバイスによって参照信号シーケンスが取得可能となるように、時間に依存した新しいパラメータである。
【００５８】
リソースエレメントのマッピングを変更する
リソースエレメントに対するＰＲＳシーケンスのマッピングは、次のように、セクション６．１０．４．２におけるＬＴＥ仕様、３ＧＰＰ  ＴＳ  ３６．２１１  Ｒｅｌ−９仕様によって規定される。
６．１０．４．２  リソースエレメントへのマッピング
参照信号シーケンス
0006623282.tif 000007
は、スロットｎＳにおいてアンテナポートｐ＝６の参照信号として使用される複素変調シンボル
0006623282.tif 000008
に
0006623282.tif 000009
に従ってマッピングされるものとする。
ここで、通常のサイクリックプレフィックスは以下になる。
0006623282.tif 000010
【００５９】
ここで、本明細書に説明されるソリューションを実装するための１つの選択は、例えば次のようにパラメータｋを変更することである。
0006623282.tif 000011
、これによって、種々のリソースエレメントがＰＲＳの送信に使用されるという結果になる。新しいパラメータα（ｔ）は上記のように時間に依存している。
【００６０】
ＰＲＳサブフレームのマッピングを変更する
本明細書に提供されるソリューションを実装するために行われ得る１つの変更は、ＰＲＳの送信に使用されるサブフレームに関するマッピングを変更することである。例えば、時変パラメータα（ｔ）に依存する疑似ランダムパターン、または時変シフトから導出されるシフトされた周期パターンは、可能なソリューションである。
【００６１】
ＰＲＳ送信時間を変更する
１つの可能な実施形態では、時間オフセットはＰＲＳ信号に加えられる。そして、ＰＲＳ特有の時間シフトは、時変パラメータα（ｔ）に依存することになる。時間シフトは、周波数領域シンボルの位相シフトとして、または、ＰＲＳの送信時の実際の時間オフセットとして、実装可能である。
【００６２】
例示の実装形態
上述される方法および技法は、ワイヤレスデバイスおよびワイヤレス通信ネットワークにおいて、例えば、無線アクセスノードおよび／またはコアネットワークノードなどの例えば１つまたは複数のネットワークノードにおいて、実装可能である。方法は、分散式に実装可能であり、例えば、複数のノードまたはエンティティはそれぞれ、例えば、ネットワークにおける種々の場所において、アクションの一部を行うことが可能である。例えば、１つまたは複数の実施形態は、例えば、ｅＮｏｄｅＢが２つ以上の別個のノードに分けられる、いわゆるクラウドソリューション、または「集中型ＲＡＮ」もしくは「分割アーキテクチャ」において、実装可能である。それに応じて、ネットワークは、方法実施形態のアクションが、例えば、一部は無線アクセスノードにおいて、および一部はコアネットワークノードにおいて行われるように設定可能である。分散されるケースは、方法が、通信ネットワークにおいて動作可能である配置構成またはネットワークノードによって行われるが、該配置構成または該ネットワークノードがネットワークにおいて分散可能であり、必ずしも、例えば、アンテナに近接する物理ユニットに含まれるわけではないと言及または説明可能である。分散のおよび非分散の実装形態の例は、図１４および図１５を参照して、さらに以下に示される。
【００６３】
図１２ａ〜図１２ｃのワイヤレスデバイス
ワイヤレスデバイスの例示の実施形態は、図１２ａにおいて一般的なやり方で示される。ワイヤレスデバイスは、ワイヤレス通信ネットワークにおいて動作可能であると想定できる。ワイヤレスデバイス１２００は、図２〜図４のいずれかを参照して上述される方法実施形態のうちの少なくとも１つを行うように設定される。ワイヤレスデバイス１２００は、先述された方法実施形態と同じ技術的特徴、目的、および利点に関連付けられる。ワイヤレスデバイスは、不要な繰り返しを回避するために簡潔に説明される。代替的には、例えば通信デバイスと示されてよいワイヤレスデバイスは、いわゆる、スマートフォン、携帯電話、ビデオカメラ、録音装置、タブレット、ラップトップ、または、ワイヤレス通信ネットワークからリソースをリクエストする必要がある場合があるワイヤレス通信対応の任意の他のデバイスの形態の、例えばユーザ機器（ＵＥ）であってよい。例えば、ワイヤレスデバイスは、機械間（Ｍ２Ｍ）デバイス、無線通信性能を装備した携帯情報端末（ＰＤＡ）、または無線通信性能を装備したセンサデバイスなどであってよい。かかるセンサは、風、温度、気圧、湿度といったあらゆる種類の気象センサであってよい、または、該センサは、光センサ、電子スイッチまたは電気スイッチ、マイクロフォン、スピーカ、カメラセンサなどであってよい。ワイヤレスデバイスは、船などの船舶、ドローン、航空機、および車、バス、または大型トラックなどの道路車両に、位置付けられる、すなわち組み込まれるように適応されてもよい。このような組み込みデバイスは、典型的には、車両テレマティクスユニットまたは車両インフォテインメントシステムに属するものになる。
【００６４】
ワイヤレスデバイスは次のように実装および／または説明可能である。ワイヤレスデバイス１２００は、処理回路構成１２０１および通信インターフェース１２０２を備える。処理回路構成１２０１は、ワイヤレスデバイス１２００に、ネットワークからの第２のタイプの測位情報をリクエストさせるように設定される。処理回路構成１２０１は、ワイヤレスデバイスに、リクエストに応答してネットワークから情報を取得させるように、さらに設定される。この情報は、所定の期間有効であり、これによってワイヤレスデバイスが、所定の期間中のみ第２のタイプの測位情報を取得できるようになる。処理回路構成１２０１は、ワイヤレスデバイスに、取得した第２のタイプの測位情報に基づいて、測位を行わせるまたは測位を行う支援をさせるように、さらに設定される。第２のタイプの測位情報は、第１のタイプの測位情報によって可能になる測位よりも高い精度の測位を可能にする。例えば、入力／出力（Ｉ／Ｏ）インターフェースと示される場合もある通信インターフェース１２０２は、例えば、無線アクセスノードとのデータの送受信のためのネットワークインターフェースを含む。
【００６５】
処理回路構成１２０１は、図１２ｂに示されるように、プロセッサ１２０３、例えばＣＰＵといった処理手段、および、命令を記憶するまたは保持するためのメモリ１２０４を備える。そして、メモリは、処理手段１２０３によって実行される時、ワイヤレスデバイス１２００に、上述されるアクションを行わせる、例えばコンピュータプログラム１２０５の形態の命令を含むことになる。
【００６６】
処理回路構成１２０１の代替的な実装形態は、図１２ｃに示される。ここで、処理回路構成は、ワイヤレスデバイスに、ネットワークから第２のタイプの測位情報をリクエストさせるように設定されるリクエストユニット１２０６を備える。処理回路構成は、ワイヤレスデバイスに、リクエストに応答してネットワークから情報を取得させるように設定される取得ユニット１２０７をさらに備える。処理回路構成は、ワイヤレスデバイスに、取得した第２のタイプの測位情報に基づいて、測位を行わせるまたは測位を行う支援をさせるように設定される測位ユニット１２０８をさらに備える。処理回路構成は、例えば、期限切れになっているかどうか、および、第２のタイプの測位情報についての新しいリクエストが送られるべきであるかどうかを判断するための、例えば、判断ユニットといった、より多くのユニットを備えることが可能である。
【００６７】
上述されるワイヤレスデバイスは、例えば、リクエストに応答して取得された情報のタイプに関して、本明細書に説明される種々の方法実施形態に対して設定可能である。ワイヤレスデバイス１２００は、規則的なワイヤレスデバイス機能を実施するためにさらなる機能性を備えると想定できる。
【００６８】
図１３ａ〜図１３ｃのネットワークノード
ワイヤレス通信ネットワークにおいて動作可能であるネットワークノードまたは配置構成の例示の実施形態は、図１３ａにおいて一般的なやり方で示される。ネットワークノードは、先述されるように、例えば、１つあるいは複数の他のネットワークノードおよび／またはリソースもしくはエンティティと共に、ワイヤレスデバイスと通信する時にワイヤレス通信ネットワークを表すことができる。ネットワークノードまたは配置構成１３００は、図５〜図９を参照して上述される方法実施形態のうちの少なくとも１つを行うように設定される。ネットワークノードまたは配置構成１３００は、先述された方法実施形態と同じ技術的特徴、目的、および利点に関連付けられる。ネットワークノードまたは配置構成１３００は、不要な繰り返しを回避するために簡潔に説明される。
【００６９】
ネットワークノードまたは配置構成は、次のように実装および／または説明可能である。ネットワークノードまたは配置構成１３００は、処理回路構成１３０１、および１つまたは複数の通信インターフェース１３０２を備える。処理回路構成は、通信ネットワークにおける１つまたは複数のノードに含まれてよい１つまたは複数の部分から構成されてよいが、ここでは１つのエンティティとして示される。処理回路構成１３０１は、ネットワークノードまたは配置構成１３００に、ワイヤレスデバイスから第２のタイプの測位情報についてのリクエストを取得させるように設定される。処理回路構成１３０１は、ネットワークノードまたは配置構成に、リクエストに応答してワイヤレスデバイスに情報を提供させるようにさらに設定される。この情報は、所定の期間有効であり、これによって所定の期間中のみ第２のタイプの測位を取得できるようになる。処理回路構成１３０１は、ネットワークノードまたは配置構成に、第２のタイプの測位情報を提供させるようにさらに設定される。例えば、入力／出力（Ｉ／Ｏ）インターフェースと示される場合もある１つまたは複数の通信インターフェース１３０２は、通信ネットワークにおいてノードまたはエンティティ間でデータを送るためのネットワークインターフェースを含む。
【００７０】
処理回路構成１３０１は、図１３ｂに示されるように、プロセッサ１３０３といった１つまたは複数の処理手段、および、命令を記憶するまたは保持するためのメモリ１３０４を備えることができる。そして、メモリは、１つまたは複数の処理手段１３０３によって実行される時、ネットワークノードまたは配置構成１３００に、上述されるアクションを行わせる、例えばコンピュータプログラム１３０５の形態の命令を含むことになる。処理回路構成１３０１は、先述されるように、１つまたは複数の部分から構成可能であり、かつ、図１４および図１５に示されるような通信ネットワークにおける１つまたは複数のノードにおいて含まれてよい、または該ノード上に分散されてよいが、ここでは１つのエンティティとして示される。
【００７１】
処理回路構成１３０１の代替的な実装形態は、図１３ｃに示される。処理回路構成はここでは、ネットワークノードまたは配置構成に、ワイヤレスデバイスから第２のタイプの測位情報についてのリクエストを取得させるように設定される取得ユニット１３０６を備える。処理回路構成は、ネットワークノードまたは配置構成に、リクエストに応答してワイヤレスデバイスに情報を提供させるように設定される第１の提供ユニット１３０７をさらに備える。この情報は、所定の期間有効であり、これによって所定の期間中のみ第２のタイプの測位を取得できるようになる。処理回路構成は、ネットワークノードまたは配置構成に、第２のタイプの測位情報を提供させるように設定される第２の提供ユニット１３０８をさらに備える。処理回路構成は、より多くのユニットを備えることが可能であり、かつ、先述されるように、通信ネットワークにおける１つまたは複数のノードもしくはエンティティにおいて含まれてよい、または該ノードまたはエンティティ上に分散されてよいが、ここでは１つのエンティティに含まれると示されている。
【００７２】
上述されるネットワークノードおよび配置構成は、例えば、種々のセットがワイヤレスデバイスに対してどのように判断されるおよび／または指示されるかに関して、本明細書に説明される種々の方法実施形態に対して設定可能である。
【００７３】
図１４は、例示のワイヤレス通信ネットワーク、この場合、本明細書において示唆されたソリューションが実装かつ適用可能であるＬＴＥネットワークを示す。ワイヤレス通信ネットワークは、無線アクセスネットワーク（ＲＡＮ）１４０５、およびコアネットワーク１４０６の観点から説明されることが多い。ＬＴＥでは、これらは、Ｅ−ＵＴＲＡＮおよびＥＰＣと示される。Ｅ−ＵＴＲＡＮ１４０５は、ｅＮＢと示される無線アクセスノード１４０１を含む。ＥＰＣ１４０６は、ＭＭＥ１４０２、Ｓ−ＧＷ１４０３、およびＰ−ＧＷ１４０４などのコアネットワークノードを含む。本明細書に説明されるソリューションは、ネットワークにおける１つまたは複数のノードにおいて実装可能である。例えば、図１４に示される例示のネットワークにおいて、本明細書に説明されるソリューションのネットワーク部分を行うための機能性は、無線アクセスノード１４０１に実装可能である。この無線アクセスノード１４０１は、その後、ワイヤレスデバイスから第２のタイプの測位情報についてのリクエストを取得することになる。代替的には、機能性は、ＭＭＥ１４０２などのコアネットワークノード、または何らかの他の制御ノードにおいて実装可能である。その場合、コアネットワークノードは第２のタイプの測位情報についてのリクエストを取得することになり、場合によって、ＲＡＮノード１４０１にリクエストを通知することになり、例えば、第２のタイプの測位情報を提供するようにＲＡＮノード１４０１を誘導することになる。機能性は、例えば、第２のタイプの測位情報についてのリクエストがＭＭＥ１４０２によって行われるように、および、リクエストに応答したワイヤレスデバイスへの情報の提供がｅＮＢ１４０１によって行われるように、２つ以上のノードにおいて実装可能である。
【００７４】
図１５はまた、本明細書で示唆されたソリューションが実装可能である、例示のワイヤレス通信ネットワークを示す。図１５は、例えば、種々の場所において処理能力または処理回路構成１５０３〜１５０６を備えるクラウドエンティティの形態のリソースがある特定の機能性を実装するために使用可能である場合の、いわゆるクラウドソリューションを示すことを意図している。リソースは、必ずしもアンテナまたはアクセスノード１５０１に近接して位置する必要はないが、例えば、別の領域または国に位置することができる。かかるリソースは、ネットワークプロバイダまたはオペレータによって所有されてよい、またはサードパーティから提供もしくは貸し出し可能である。このタイプのソリューションでは、例えば、図１４におけるノード１４０１などの無線アクセスノードに関連付けられた機能性は、種々の地理的位置に位置する１つまたは複数のサーバもしくはエンティティにおいて実装可能である。本明細書において説明されるソリューションに関して、リクエストに応答してワイヤレスデバイスに情報を提供するための機能性は、クラウドエンティティ１５０３において実装可能である。代替的には、該機能性は、クラウドエンティティ１５０４および１５０５の間の連係部として実装可能であるが、他の特徴はクラウドエンティティ１５０６に実装可能である。これは、分散ソリューションの一例である。
【００７５】
本明細書に説明されるステップ、機能、手順、モジュール、ユニット、および／またはブロックは、汎用電子回路構成および特定用途向け回路構成の両方を含む、ディスクリート回路または集積回路技術などの任意の従来の技術を使用してハードウェアに実装されてよい。
【００７６】
特定の例は、１つまたは複数の適当に設定されたデジタル信号プロセッサ、および、他の既知の電子回路、例えば、特殊機能を果たすために相互接続されるディスクリート論理ゲート、または特定用途向け集積回路（ＡＳＩＣ）を含む。
【００７７】
代替的には、上述したステップ、機能、手順、モジュール、ユニット、および／またはブロックの少なくともいくつかは、１つまたは複数の処理ユニットを含む、適した処理回路構成によって実行するためのコンピュータプログラムなどのソフトウェアにおいて実装可能である。ソフトウェアは、例えば、ワイヤレス通信ネットワークの１つまたは複数のノードにおいて、コンピュータプログラムの使用前および／または使用中に、電子信号、光信号、無線信号、またはコンピュータ可読記憶媒体などのキャリアによって伝達可能である。上述される処理回路構成は、実装形態が分散可能であることに言及する、いわゆるクラウドソリューションに実装可能であり、例えば、いわゆる仮想ノードまたは仮想機械に位置すると言われる場合がある。
【００７８】
本明細書に提示される１つまたは複数のフロー図は、１つまたは複数のプロセッサによって行われる時、１つまたは複数のコンピュータフロー図と見なされてよい。対応する配置構成または装置は、機能モジュールのグループと規定されてよく、ここで、プロセッサによって行われるそれぞれのステップは機能モジュールに対応する。この場合、機能モジュールは、１つまたは複数のプロセッサ上で作動する１つまたは複数のコンピュータプログラムとして実装される。
【００７９】
処理回路構成の例は、１つもしくは複数のマイクロプロセッサ、１つもしくは複数のデジタル信号プロセッサ（ＤＳＰ）、１つもしくは複数の中央処理装置（ＣＰＵ）、および／または１つもしくは複数のフィールドプログラマブルゲートアレイ（ＦＰＧＡ）、または１つもしくは複数のプログラマブルロジックコントローラ（ＰＬＣ）などの任意の適したプログラマブルロジック回路構成を含むが、これらに限定されない。すなわち、上述される通信ネットワークにおける配置構成のユニットまたはモジュールは、１つまたは複数の場所におけるアナログ回路およびデジタル回路の組み合わせ、および／または、例えば、メモリに記憶される、ソフトウェアおよび／またはファームウェアで設定される１つまたは複数のプロセッサによって、実装可能である。１つまたは複数のこれらのプロセッサのみならず、他のデジタルハードウェアは、単一の特定用途向け集積回路（ＡＳＩＣ）に含まれてよい、または、いくつかのプロセッサおよびさまざまなデジタルハードウェアは、システムオンチップ（ＳｏＣ）に個々にパッケージングまたはアセンブルされるかにかかわらず、数個の別個のコンポーネントの間で分散されてよい。
【００８０】
提案された技術が実装される任意の従来のデバイスまたはユニットの一般的な処理性能を再利用可能とすることができることも、理解されるべきである。例えば、既存のソフトウェアを再プログラミングすることによって、または新しいソフトウェアコンポーネントを追加することによって、既存のソフトウェアを再利用可能としてもよい。
【００８１】
上述される実施形態は、単に例として挙げられ、提案された技術はこれらに限定されないことは理解されるべきである。本発明の範囲から逸脱することなく、実施形態に、さまざまな修正、組み合わせ、および変更がなされてよいことは、当業者によって理解されるであろう。とりわけ、種々の実施形態における種々の部分的ソリューションは、技術的に可能な場合、他の設定において組み合わせ可能である。
【００８２】
「備える」または「備えている」の語を使用する時、非限定的である、すなわち、「少なくとも〜から成る」を意味するとして解釈されるべきである。「ユーザ」という用語は、間接的にワイヤレスデバイスに言及する場合がある。時として、「ユーザ」という用語は、上述されるユーザ機器などに言及するために使用される場合がある。ユーザは必ずしも人間のユーザに関わるわけではない場合があることは理解されるべきである。「ユーザ」という用語は、ある特定の機能、方法、および同様のものを使用する、機械またはソフトウェアコンポーネントなどに言及する場合もある。
【００８３】
いくつかの代替の実装形態において、ブロックに記される機能／挙動は、フローチャートに記される順序の範囲外で生じる場合があることも留意されるべきである。例えば、連続して示される２つのブロックは、実際には、実質的に同時に実行されてよい、または、該ブロックは、関わる機能性／挙動に左右されて、逆の順序で実行される時もあってよい。さらに、フローチャートおよび／またはブロック図の所与のブロックの機能性は、複数のブロックに分離されてよい、および／または、フローチャートおよび／またはブロック図の２つ以上のブロックの機能性は少なくとも部分的に統合されてよい。最後に、示されるブロックの間に他のブロックが追加／挿入されてよい、および／または、本発明の概念の範囲から逸脱することなく、ブロック／動作は省かれてよい。
【００８４】
本開示内の、相互作用するユニットの選定のみならず、ユニットの命名が、例示を目的としているに過ぎず、上述される方法のいずれかを実行するのに適したノードが、示唆された手順のアクションを実行可能とするために複数の代替的なやり方で設定されてよいことは、理解されたい。
【００８５】
本開示に説明されるユニットが、論理エンティティと見なされるべきであり、別個の物理エンティティである必要がないことも、留意されるべきである。
【図１】
0006623282.tif 000012
【図２】
0006623282.tif 000013
【図３】
0006623282.tif 000014
【図４】
0006623282.tif 000015
【図５】
0006623282.tif 000016
【図６】
0006623282.tif 000017
【図７】
0006623282.tif 000018
【図８】
0006623282.tif 000019
【図９】
0006623282.tif 000020
【図１０】
0006623282.tif 000021
【図１１】
0006623282.tif 000022
【図１２ａ】
0006623282.tif 000023
【図１２ｂ】
0006623282.tif 000024
【図１２ｃ】
0006623282.tif 000025
【図１３ａ】
0006623282.tif 000026
【図１３ｂ】
0006623282.tif 000027
【図１３ｃ】
0006623282.tif 000028
【図１４】
0006623282.tif 000029
【図１５】
0006623282.tif 000030